【事件の表示】
　特許第５９１４９０８号発明「建物添設用独立構築物」の特許異議申立事件について、次のとおり決定する。
【結　論】
　特許第５９１４９０８号の請求項１、５、６に係る特許を維持する。
【理　由】
１　手続の経緯
　特許第５９１４９０８号の請求項１ないし６に係る特許についての出願は、平成２３年１月６日に特許出願され、平成２８年４月１５日に特許の設定登録がされ、その後、その請求項１、５および６に係る特許に対し、特許異議申立人堀部直行（以下「申立人」という。）により特許異議の申立てがされたものである。
　
２　本件発明
　特許第５９１４９０８号の請求項１、５及び６の特許に係る発明（以下「本件特許発明１」等という。）は、それぞれ、その特許請求の範囲の請求項１、５及び６に記載された事項により特定されるとおりのものである。
　
３　申立理由の概要
　申立人は、主たる証拠として特公昭５８−４１３８６号公報（以下「刊行物１」という。）、及び従たる証拠として特開２００７−１９０２９４号公報（以下「刊行物２」という。）、特開平１１−３３６２０８号公報（周知例。以下「刊行物３」という。）、特開２００５−２５３５２５号公報（周知例。以下「刊行物４」という。）、特開平９−３２０７７号公報（周知例。以下「刊行物５」という。）、特開２００５−２９９１６２号公報 （周知例。以下「刊行物６」という。）、実公平２−８０２２号公報（周知例。以下「刊行物７」という。）、特開２００７−１４６５２３号公報（周知例。以下「刊行物８」という。）、実公平３−２３４６０号公報（周知例。以下「刊行物９」という。）、特開２００４−３３２３１７号公報（周知例。以下「刊行物１０」という。）、特開２００６−６３５４６号公報（周知例。以下「刊行物１１」という。）、特開２００１−３４２６９０号公報（周知例。以下「刊行物１２」という。）、特開昭５９−１７９９０４号公報（周知例。以下「刊行物１３」という。）を提出し、本件特許発明１は、特許法第２９条第１項第３号に該当し、また本件特許発明１、５及び６は、同法第２９条第２項の規定により、特許を受けることができないものであるから、請求項１、５及び６に係る特許を取り消すものである旨主張している。
　
４　刊行物の記載事項
（１）刊行物１には、
「１　少くとも所定間隔をおいて互に並列する２本の縦桟２，２からなる支持柱１が１対所定間隔をおいて相対向して建植され、該１対の支持柱１，１の同じ側の縦桟２，２間に複数本の横桟４，４……がさし渡され、それぞれの支持柱１の縦桟２，２上端部間に梁５，５がさし渡されると共に横桟４と反対側に張り出され、該梁５，５間に適宜間隔をおいて複数本の母屋材６，６……がさし渡され、梁５，５の張り出し端部間に鼻隠７がさし渡され、少くとも支持柱１，１間に横桟４，４……に壁面パネル９が取付けられ、梁５，５間の母屋材６，６…に屋根パネル１０がその端部を鼻隠７に当接させて取付けられ、鼻隠７の上端部にその長さ方向に沿って鼻隠７とほぼ同長の水切りパツキング１１が突設一体化され、、水切りパツキング１１が建物の壁面２９等に当接されるようになされたことを特徴とする組立式簡易収納庫。」（特許請求の範囲）、「１１は水切りパツキングであつて、ゴム、軟質合成樹脂等から作製されている。該水切りパツキング１１は鼻隠７とほぼ同長となされ、鼻隠７の上端部にその長さ方向に沿って突設一体化されるものである。又、該水切りパツキング１１は第９図の如く直接鼻隠７の上端部に係止されて取付けられてもよいし、第１０図の如く鼻隠７の上端部にその長さ方向に沿つて取付けられた水切板２１を介して取付けられていてもよい。」（４欄１２〜２０行）、「以上詳述した如く、本発明収納庫は少くとも所定間隔をおいて互に並列する２本の縦桟からなる支持柱が１対所定間隔をおいて相対向して建植され、それぞれの支持柱の縦桟上端部間に梁がさし渡されているので、構造的に安定しており従来の如く梁を支えるのに建物の壁面に固定桟を取付ける必要がなく、その組立作業に手間がかからないと共に建物の壁面を傷つける必要もない。」（５欄１８〜２５行）、「又、鼻隠の上端部にその長さ方向に沿つて水切りパツキングが突設一体化されているので、収納庫を建物に面して設置した際、建物の壁面に水切りパツキングを当接させて建物の壁面と鼻隠との隙間を塞いでこの隙間からの雨漏りを容易に防止することができると共に、建物の壁面を傷つけることがない。」（５欄２６〜３２行）、と記載されている。
　また、第１０図〜第１２図を参照すると、水切りパツキング１１は、板状であることが見てとれる。
　
　以上のことから、刊行物１には次の発明（以下「刊行物１発明」という。）が記載されている。
「少くとも所定間隔をおいて互に並列する２本の縦桟２，２からなる支持柱１が１対所定間隔をおいて相対向して建植され、該１対の支持柱１，１の同じ側の縦桟２，２間に複数本の横桟４，４……がさし渡され、それぞれの支持柱１の縦桟２，２上端部間に梁５，５がさし渡されると共に横桟４と反対側に張り出され、該梁５，５間に適宜間隔をおいて複数本の母屋材６，６……がさし渡され、梁５，５の張り出し端部間に鼻隠７がさし渡され、少くとも支持柱１，１間に横桟４，４……に壁面パネル９が取付けられ、梁５，５間の母屋材６，６…に屋根パネル１０がその端部を鼻隠７に当接させて取付けられ、鼻隠７の上端部にその長さ方向に沿って鼻隠７とほぼ同長で板状の水切りパツキング１１が突設一体化され、水切りパツキング１１が建物の壁面２９等に当接されるようになされた組立式簡易収納庫であって、
水切りパツキング１１は、ゴム、軟質合成樹脂等から作製されたものであり、直接鼻隠７の上端部に係止されて取付けられるか、または鼻隠７の上端部にその長さ方向に沿つて取付けられた水切板２１を介して取付けられており、
建物に面して設置した際、建物の壁面に水切りパツキングを当接させて建物の壁面と鼻隠との隙間を塞いでこの隙間からの雨漏りを容易に防止する、
組立式簡易収納庫。」
（２）刊行物２には、
「【０００９】・・・目地材１２は樹脂の押出し品で形成されており、・・・」、「【００１５】・・・図４では、壁パネル９に浴槽８の垂下片８ｂを当接させて設置し、浴槽８のフランジ部８ａ上に上面が開放された断面略コの字状の目地材受け１５をビス１７で固定させておき、この目地材受け１５に対し上方側から目地材１６を取り付けるように構成したものである。目地材受け１５は、ビス１７でフランジ部８ａに固定される固定片１５ａから上方へ立ち上がる爪を有する爪片１５ｂ，１５ｂを備え、目地材１６は、この爪片１５ｂ，１５ｂの爪に引っ掛かる係合片１６ａ，１６ａを備えて構成されている。」、「【００１６】目地材１６の取付状態では、目地材１６の上端側が壁パネル９に当接し、下端側が浴槽のフランジ部８ａに当接するものである。このような構成では、浴槽８の上下方向の変形と共に目地材１６も浴槽と共に上下方向に動くこととなるため、防水パンの形状にかかわらず浴槽８との間に隙間が生ずることがなくなるものである。」、と記載されている。
　
（３）刊行物３には、
「【０００２】【従来の技術】従来、例えば浴室内において、浴室と周囲の壁面との間には僅かな隙間が生じるのが不可避であり、このような僅かな隙間をコーキング剤等で充填して隙間を塞ぎ且つ化粧していた。」と記載されている。
　
（４）刊行物４には、
「【０００２】従来、たとえばユニットバスにおいて浴槽と浴室壁面との間に僅かな隙間が生じるので、この隙間に水が侵入するのを防止するためにコーキング剤の充填により隙間を塞ぐ工法が採用されていた。」、と記載されている。
　
（５）刊行物５には、
「【００１０】・・・この漏水受け部材５の他端からは当接片８が突設されており、当接片８の先部は仕切壁部ａの外面に当接されている。」、「【００１１】当接片８は漏水受け部材５の他端に設けられた連結片１３に係合連結される連結基部１４の上部より斜め上方に向けて一体に突設されており、連結基部１４及び当接片８は弾性を有する部材にて形成され、当接片８は弾性変形しながら仕切壁部ａの外面に隙間無く当接させることができるようになっている。・・・」、「【００１３】・・・給水用配管４の継ぎ目部分等から飛散して仕切壁部ａの外面に付着して仕切壁部ａの外面を伝って下方に流れる漏水は当接片８によってガイドされて漏水受け部材５内に流れ込むものであり、さらに、壁パネル２の外面を伝って下方に流れる漏水は防水材１５によってガイドされて漏水受け部材５内に流れ込むものであり、・・・」、と記載されている。
　
（６）刊行物６には、
「【００３０】目地部材６は、浴槽端縁面３と浴室の壁面１との間の目地５を水密的に閉塞するシーリング部７と、シーリング部７とは別体に形成され浴槽端縁面３と浴室の壁面１との間の目地５に差し込まれる固定部８を有する。シーリング部７は、軟質樹脂（例えば、オレフィン系エラストマー等）により構成されている。固定部８は硬質樹脂（例えば、ポリプロピレン等）により構成されている。」、「【００３５】次いで、浴槽２の固定作業が終わった後に、シーリング部７を固定部８に接合しシーリングする。この場合、凸部１０を凹部９に押し込むだけで簡単に接合することができる。」、と記載されている。
　
（７）刊行物７には、
「而して、タイル貼り作業が完了した後、本体１の垂直片３上端の溝３２にへの字型の封止板４の下端部を嵌合させれば、上端部が壁面にその弾性により密着し、本案巾木による防水施工が完了する。つまり、本考案に係る防水巾木によれば、床下地とタイルとの間に挾着される水平片と、同水平片に連続する段部付の垂直片及び垂直片上端の溝に嵌着される軟質の封止板とから成るものであるから、通常の巾木としての機能はいうに及ばず、床に溜つた雨水は本体によつて、壁面に沿うて落ちる雨水は封止板によつてそれぞれ堰止められ、床下地には浸入することがない防水機能をも奏し得るもので、従来のように防水不全による階下への水漏れ事故は完全に防止できるものである。」（２欄２６行〜３欄１２行）、と記載されている。
　
（８）刊行物８には、
「【００２２】また、ジョイント材９は、弾性率（以下、単に弾性と記す。）が異なる２種の樹脂材料を二色成形（同時成形）して形成されるエラストマー樹脂製の部材であり、弾性変形可能な程度の弾性を有する軟らかいエラストマー樹脂からなる軟部１０と、軟部１０よりも弾性が高くて硬いエラストマー樹脂からなる硬部１１とから構成されている。・・・」、と記載されている。
　
（９）刊行物９には、
「該シール材４は硬質合成樹脂の基部４１と軟質合成樹脂の舌片部４２とより成り、両者は同時押出によつて一体的に形成されたものである。」（４欄１９〜２２行）、と記載されている。
　
（１０）刊行物１０には、
「【００１４】前記パッキン８は、弾性変形可能なゴム質ないし軟質樹脂、例えばサーモ・プラスチック・エラストマー（ＴＰＥ）系の材料からなり、押出成形により、図１の紙面に垂直方向に連続した長尺に形成されている。・・・」、と記載されている。
　
（１１）刊行物１１には
、「【００１８】・・・止水材１の材質としてはエチレン・プロピレン・ジエン共重合ゴム（ＥＰＤＭ）に代表される合成ゴムや熱可塑性エラストマー（ＴＰＥ）等を用い、シール板２と底上げ板４を押出等により一体成形する。・・・」、と記載されている。
　
（１２）刊行物１２には、
「【００１４】ここで、以上のような目地シール材は多色押出し成形で製造されるのが通常である。すなわち例えばエラストマー用の合成樹脂材と硬質用の合成樹脂材を一体的に押出し成形する多色押出し成形によりバネ板部１１、湾曲部１２、およびヒレ部１４、１５を同時的に成形して製造されるのが通常である。」、と記載されている。
　
（１３）刊行物１３には、
「道路や橋の舗装部分における継手の封鎖装置として種々の構造が提案されている。その目的は隣接するコンクリート舗装部分の間のスペース、いわゆる継手に水や異物が侵入するのを防止することにある。なお、かかる継手はコンクリート舗装部分の温暖時または熱間時の膨張、および寒冷時の収縮を可能たらしめるためのものである。従来から使用されている或る種の封鎖装置においては種々の外部および内部幾何学的形状を有するエラストマ材料の押出成形物を設けたり、金属製フレーム、ビーム等と、これらのフレーム、ビーム等の間のエラストマ部材とを組合わせることによつて封鎖機能を発揮させると共に温度変化によるコンクリートの膨張・収縮に伴なう継手の幅の変化に順応せしめている。」（２頁右下欄１５行〜３頁左上欄９行）、と記載されている。
　
５　対比・判断
　ア　本件特許発明１について
　（ア）本件特許発明１と刊行物１発明とを対比すると、
　建物壁面と屋根の先端である屋根自由端との間に形成された空隙について、本件特許発明１は、揺動撓み空隙であるのに対し、刊行物１発明は、そのような空隙か不明であり、また、空隙を閉塞させている閉塞部材について、本件特許発明１は、下方に凸に屈曲されると共に、舌状先端を躯体に対して上下方向に摺動自在に弾性圧接させられており、被嵌溝又は嵌合条で屋根自由端に設けられた取付枠に固定されているのに対し、刊行物１発明は、水切りパツキング１１が、そのような構成の閉塞部材かどうか不明な点、で相違している。
　
　（イ）なお、申立人は、上記相違点の構成が、刊行物１に記載されていると主張している。
　しかしながら、刊行物１発明の組立式簡易収納庫は、「少くとも所定間隔をおいて互に並列する２本の縦桟２，２からなる支持柱１が１対所定間隔をおいて相対向して建植され、該１対の支持柱１，１の同じ側の縦桟２，２間に複数本の横桟４，４……がさし渡され、それぞれの支持柱１の縦桟２，２上端部間に梁５，５がさし渡されると共に横桟４と反対側に張り出され、該梁５，５間に適宜間隔をおいて複数本の母屋材６，６……がさし渡され、・・・少くとも支持柱１，１間に横桟４，４……に壁面パネル９が取付けられ、梁５，５間の母屋材６，６…に屋根パネル１０が・・・取付けられ」た構成を備え、それゆえに、刊行物１に記載された「構造的に安定しており従来の如く梁を支えるのに建物の壁面に固定桟を取付ける必要がな」いとの効果を奏するものである。
　よって、刊行物１発明の組立式簡易収納庫は強固な構造であるから、その屋根パネル１０の端部の鼻隠７の先端は、強風や積雪等により全く揺動しないとはいわないまでも、積極的に揺動することは考慮されていない。
　そうすると、刊行物１発明の隙間は、揺動撓み空隙とはいえず、そして、閉塞部材は、下方に凸に屈曲され、舌状先端を躯体に対して上下方向に摺動自在に弾性圧接させたものとはいえない。
　また、刊行物１の図面を参照しても、「被嵌溝又は嵌合条が屋根自由端に設けられた取付枠に固定されている」ことは記載されていない。
　よって、申立人の主張は採用することができない。
　
　（ウ）ここで、申立人が提出した刊行物２をみると、「浴槽８の上下方向の変形と共に目地材１６も浴槽と共に上下方向に動くこととなるため、防水パンの形状にかかわらず浴槽８との隙間が生ずることがなくなる」ことが記載され、また、【図４】を参照すると、目地材１６が若干下に凸の状態で、その先端が壁パネル９に当接していることが理解できるものの、当該目地材１６は、浴槽８と壁パネル９との隙間を塞ぐものであるから、刊行物１発明の組立式簡易収納庫である簡易建物とは、技術分野が相違し、さらに、隙間並びにその隙間を閉塞する部材の大きさも異なっている。
　また、刊行物１発明の組立式簡易収納庫は、上記（イ）で述べたように、強固な構造であるから、鼻隠７が揺動することを考慮するものではない。
　よって、刊行物１発明の水切りパツキング１１を、刊行物２に記載の目地材１４に代える動機付けは存在しない。
　そもそも、刊行物１発明の鼻隠は積極的に揺動することを考慮するものではないから、刊行物１発明の建物の壁面と鼻隠との隙間は、揺動撓み空隙とはいえず、また、刊行物２に記載の目地材１４が塞ぐであろう隙間も、微細なものと認められるから、仮に、刊行物１発明の水切りパツキング１１を刊行物２に記載の目地材１４に代えたとしても、上記相違点に係る構成である、揺動撓み空隙を閉塞させている閉塞部材を、下方に凸に屈曲させ、舌状先端を躯体に対して上下方向に摺動自在に弾性圧接させたものとすることはできない。
　
　（エ）その他、刊行物３ないし７をみても、簡易建物の分野において、揺動する先端部と壁との揺動撓み空隙の閉塞を、舌状先端を上下方向に揺動自在に弾性圧接させた閉塞部材により行ったものは、記載されていない。
　したがって、本件特許発明１は、刊行物１に記載された発明ではなく、また、刊行物１発明、刊行物２に記載の事項、及び周知技術に基いて、当業者が容易に発明をすることができたものでもない。　
　
　イ　本件発明５及び６について
　申立人は、本件特許発明５及び６に対して、さらに甲第８ないし１３号証を提出し、請求項５及び６に記載された構成は、周知技術である旨、主張している。
　しかしながら本件特許発明５及び６は、本件特許発明１を更に減縮したものであるから、本件特許発明１についての判断と同様の理由により、刊行物１に記載された発明、刊行物２に記載の事項、及び周知技術に基いて、当業者が容易に発明することができたものではない。
　
６　むすび
　以上のとおり、特許異議申立ての理由及び証拠によっては、請求項１、５及び６に係る特許を取り消すことはできない。
　また、他に請求項１、５及び６に係る特許を取り消すべき理由を発見しない。
　よって、結論のとおり決定する。
【異議決定日】
平成２９年１月１９日（２０１７．１．１９）